(57)【特許請求の範囲】
【請求項１】
オーガロッドの外周に該ロッドの外周からスクリュー羽根外縁位置まで外方に張り出す湾曲押圧面を側面とした円弧形状のコテ部を設ける掘削土砂圧密形オーガにおいて、コテ部はロッドに設けるスクリュー羽根と並ぶように組合わせ、側面の湾曲押圧面はロッド周面からスクリュー羽根の外縁位置まで外方に張り出すもので、コテ部は正面視において、左端から右端にかけて漸次巾を拡大するように形成し、また、コテ部は外周部先端を分割体とし、これをコテ部本体に対してボルト、ピンもしくは溶接で交換可能に結合することを特徴とする掘削土砂圧密形オーガ。
【請求項２】
コテ部はロッドの外周に向かい上方へ向けて傾斜する請求項１記載の掘削土砂圧密形オーガ。
【請求項３】
コテ部はロッドの外周に向かい、下辺は水平であり、上辺は上方に傾斜する請求項１記載の掘削土砂圧密形オーガ。
【請求項４】
コテ部はロッドの外周に向かい、下辺は下方に傾斜し、上辺は上方に傾斜する請求項１記載の掘削土砂圧密形オーガ。
【発明の詳細な説明】
【技術分野】
【０００１】
本発明は、一般ゴミ、産業廃棄物、焼却灰、一般土等を効率よく孔壁に填圧させることができる掘削土砂圧密形オーガに関するものである。
【背景技術】
【０００２】
掘削した土砂のすべてを地上に排出するのではなく、その一部または大部分を孔壁に圧密すれば土砂排出の手間が省けるばかりでなく、孔壁の崩壊も防止でき、また、掘削時の摩擦抵抗も減少するので大深度の掘削が可能となり、かつ、地盤中に玉石や転石があっても掘削に必要な刃先部の面圧を随時に意識調整しながら連続した掘削が可能となる。
【０００３】
また、これをすでに満杯となりつつある廃棄物処分場で行った場合には廃棄物処分場にすでに捨てられたゴミ等を地上に出すことなく孔を造成でき、造成した孔に新たに充填するゴミ（もしくはゴミと土砂）はこれも孔壁に圧密され、かつ孔底に順次填圧されるので、限られた縦穴スペースに大容量のものを埋めることができる。
【０００４】
下記特許文献は発明者が先に出願し、特許を取得したもので、図９〜図１１に示すようにロッド３は正および逆転可能なもので、外周に外方に張り出す湾曲押圧面４を側面とした厚肉フランジ状のコテ部５を螺旋状に上昇するように設けた。
【特許文献１】特許第３０６００４５号公報
【０００５】
コテ部５はオーガロッド３の外周からの左右両端の突出側面が必ず円弧形状で、湾曲押圧面４が全体で円弧状になるように形成した。
【０００６】
また、コテ部５はロッド３に設けるスクリュー羽根１と並ぶように組合わせ、側面の湾曲押圧面４はロッド３の周面からスクリュー羽根１の外縁位置まで外方に張り出すようにした。１．５〜２．０ピッチの旋回をもってこのコテ部５を設けた。
【０００７】
スクリュー羽根１によって搬送される土砂はロッド３の正転にともなうコテ部５の旋回による揚上作用によって上方に移送されるが、この移送の際にコテ部５の湾曲押圧面４で外側に押し出され、孔壁に圧密される。
【０００８】
また、ロッド３を逆転させる場合にはこのコテ部５が土砂の下降作用を行うことになるが、その場合でも移送の際にコテ部５の湾曲押圧面４で外側に正転と逆転を適宜組み合わせることで孔壁への圧密を効果的に行い、地上への排土量を減じ、または無くすことができる。
【発明の概要】
【発明が解決しようとする課題】
【０００９】
コテ部５はオーガロッド３の１本に数個〜数十個、ヘッド１ケに２ケ相当を取り付けられるが、詰まった地中の中に掘進するとコテ部５の巾が広いと掘削時の抵抗となり多くの時間を費やしてしまう。
【００１０】
オーガロッド３の正転と逆転を適宜組み合わせることで孔壁への圧密を効果的に行うことを意図するが、特にコテ部５は湾曲押圧面４が一定巾であり、オーガロッド３を正転させる場合でも逆転させる場合でも同様に抵抗が大きく、特に掘削時の正転の抵抗が大きなことは、作業効率の低下要因となってしまう。
【００１１】
本発明の目的は前記従来例の不都合を解消し、正転（右回転）による掘削時にはコテ部の抵抗を少なくし、逆転（左回転）による填圧時には十分な巾でコテ塗り作用が行える掘削土砂圧密形オーガを提供することにある。
【課題を解決するための手段】
【００１２】
前記目的を達成するため請求項１記載の本発明は、オーガロッドの外周に該ロッドの外周からスクリュー羽根外縁位置まで外方に張り出す湾曲押圧面を側面とした円弧形状のコテ部を設ける掘削土砂圧密形オーガにおいて、コテ部はロッドに設けるスクリュー羽根と並ぶように組合わせ、側面の湾曲押圧面はロッド３周面からスクリュー羽根の外縁位置まで外方に張り出すもので、コテ部は正面視において、左端から右端にかけて漸次巾を拡大するように形成し、また、コテ部は外周部先端を分割体とし、これをコテ部本体に対してボルト、ピンもしくは溶接で交換可能に結合することを要旨とするものである。
【００１３】
請求項１記載の本発明によれば、右回転の掘削に対しては左端から右端にかけて漸次巾を拡大するように形成したコテ部の湾曲押圧面が掘削面に接し、その結果、抵抗のすくない状態で掘削できる。
【００１４】
また、掘削され、解された状況に対して、オーガロッドが逆転することで取り込み孔壁へ填圧するが、この逆転の場合は、コテ部の巾の広い側の端から行うことができ、十分に填圧することができる。
【００１５】
また、前記作用に加えて、コテ部の特に磨耗し易い外周部先端のみを交換できるので、経済的な補修が得られる。また、地中の詰まり具合によってはセットされた内の数枚のコテ部外周を外して、抵抗に対する調整も可能となる。
【００１６】
請求項２〜請求項４記載の本発明は、コテ部はオーガロッドの外周に向かい上方へ向けて傾斜する、または、コテ部はオーガロッドの外周に向かい、下辺は水平であり、上辺は上方に傾斜する、もしくは、コテ部はオーガロッドの外周に向かい、下辺は下方に傾斜し、上辺は上方に傾斜することを要旨とするものである。
【００１７】
請求項２〜請求項４記載の本発明によれば、請求項１記載の作用を発揮する上での各種パターンを示したもので、右回転の掘削に対しては左端から右端にかけて漸次巾を拡大するように形成したコテ部の湾曲押圧面が掘削面に接し、その結果、抵抗のすくない状態掘削でき、逆転の場合は、コテ部の巾の広い側の端から行うことができ、十分に填圧することができる。
【発明の効果】
【００１８】
以上述べたように本発明の掘削土砂圧密形オーガは、正転（右回転）による掘削時にはコテ部の抵抗を少なくし、逆転（左回転）による填圧時には十分な巾でコテ塗り作用が行えるものである。
【発明を実施するための形態】
【００１９】
以下、図面について本発明の実施の形態を詳細に説明する。図１は本発明の掘削土砂圧密形オーガの１実施例を示す正面図で、図９〜図１１と同一構成要素には同一参照符号を付したものである。
【００２０】
図中３はオーガのロッドであるが、本発明の掘削土砂圧密形オーガ１８も通常のオーガと同じく、ロッド３とその先端のオーガヘッド１２とからなり、ロッド３は重機のリーダーマストのトップシーブから昇降自在に吊り下がる駆動装置２に結合して正逆回転自在に垂下するものである。
【００２１】
ロッド３は通常のアースオーガ等と同じくピース物として継ぎ足し可能であり、オーガヘッド１２を下端に接続する第１ロッド３ａ、その上に接続する第２ロッド３ｂ、さらにその上に接続する第３ロッド３ｃの組合せである。なお、ピースの数はこれに限定されるものではない。
【００２２】
前記第３ロッド３ｃはスクリュー羽根１だけを設けた通常のロッドであり、オーガヘッド１２を下端に接続する第１ロッド３ａ、その上に接続する第２ロッド３ｂはロッドの外周に外方に張り出す湾曲押圧面４を側面とした厚肉フランジ状のコテ部５を螺旋状に上昇するように設けた。
【００２３】
コテ部５はロッド３に設けるスクリュー羽根１と並ぶように組合わせ、側面の湾曲押圧面４はロッド３の周面からスクリュー羽根１の外縁位置まで外方に張り出す。
【００２４】
図示の例ではスクリュー羽根１が１ピッチ旋回したところでコテ部５を設けるようにしたが、１．５〜２．０ピッチの旋回をもってこのコテ部５を設けるようにしてもよい。
【００２５】
コテ部５はロッド３の外周からの左右両端の突出側面が必ず円弧形状である。図示の例ではコテ部５は湾曲押圧面４が全体で円弧状になるように形成した。図中１１は孔壁である。なお、このコテ部５は中空のドラムタイプのものでよい。
【００２６】
さらに、コテ部５は外周部先端を分割体５ａとし、これをコテ部本体５ｂに対してボルト８やピンや溶接等で交換可能に結合するものとする。
【００２７】
コテ部５は正面視において、左端（巾ｈ）から右端（巾Ｈ）にかけて漸次巾を拡大する（Ｈ＞ｈ）ように形成した。
【００２８】
図６〜図８はそのパターンを示すもので、いずれの場合も選択可能であり、適宜組み合わせて使用することもできる。図６の場合はコテ部５は上辺αと下辺βともロッド３の外周に向かい上方へ向けて傾斜する。
【００２９】
図７の場合はコテ部５はロッド３の外周に向かい、下辺βは水平であり、上辺αは上方に傾斜する。
【００３０】
図８の場合はコテ部５はロッド３の外周に向かい、下辺βは下方に傾斜し、上辺αは上方に傾斜する。
【００３１】
オーガヘッド１２はスクリュー羽根のみを有する通常のものでもよいが、図３、図４に示すように、スクリュー羽根の裏側に垂直方向への湾曲押圧面４を有するコテ部５を設けるようにしてもよい。湾曲押圧面４は下側から外へ向かい張り出すようなアールを描いてなる。図中１３は掘削ビットである。
【００３２】
先端のオーガヘッド１２の掘削ビット１３で切削された土砂はロッド３の正転にともなうコテ部５の旋回による揚上作用によって上方に移送されるが、この移送の際にコテ部５の湾曲押圧面４で外側に押し出され、孔壁１１に圧密される。
【００３３】
また、ロッド３を逆転させる場合にはこのコテ部５が土砂の下降作用を行うことになるが、その場合でも移送の際にコテ部５の湾曲押圧面４で外側に押し出され、かかる正転と逆転を適宜組み合わせることで孔壁１１への圧密を効果的に行い、地上への排土量を減じ、または無くすことができる。
【図面の簡単な説明】
【００３４】
【図１】本発明の掘削土砂圧密形オーガの１実施例を示す正面図である。
【図２】本発明の掘削土砂圧密形オーガのロッドの側面図である。
【図３】本発明の掘削土砂圧密形オーガのオーガヘッドの正面図である。
【図４】本発明の掘削土砂圧密形オーガのオーガヘッドの底面図である。
【図５】本発明の掘削土砂圧密形オーガの要部を示す平面図である。
【図６】本発明の掘削土砂圧密形オーガのコテ部の第１例を示す正面図である。
【図７】本発明の掘削土砂圧密形オーガのコテ部の第２例を示す正面図である。
【図８】本発明の掘削土砂圧密形オーガのコテ部の第３例を示す正面図である。
【図９】従来例を示す側面図である。
【図１０】図９のＡ−Ａ線断面図である。
【図１１】図９のＢ−Ｂ線断面図である。
【符号の説明】
【００３５】
１…スクリュー羽根
２…駆動装置
３…ロッド
３ａ…第１ロッド
３ｂ…第２ロッド
３ｃ…第３ロッド
４…湾曲押圧面
５…コテ部
５ａ…分割体
５ｂ…本体
６…平面
７…空隙部
８…ボルト
９…上部傾斜面
１０…下部傾斜面
１１…孔壁
１２…オーガヘッド
１３…掘削ビット
１８…掘削土砂圧密形オーガ
【図１】
0005976723.tif 000002
【図２】
0005976723.tif 000003
【図３】
0005976723.tif 000004
【図４】
0005976723.tif 000005
【図５】
0005976723.tif 000006
【図６】
0005976723.tif 000007
【図７】
0005976723.tif 000008
【図８】
0005976723.tif 000009
【図９】
0005976723.tif 000010
【図１０】
0005976723.tif 000011
【図１１】
0005976723.tif 000012